(57)【要約】      （修正有）【課題】可動式収納容器及びそのアセンブリーを提供する。【解決手段】複数の可動式収納容器１０Ａ、１０Ｂ、１０Ｃを備えた可動式収納容器アセンブリーであって、各可動収納容器は、容器本体１Ａ、１Ｂ、１Ｃと容器アクセサリー２Ａ、２Ａ´、２Ｂ、２Ｃを含む。容器本体は、透視部を有し、容器本体の収納空間１００Ａ、１００Ｂ、１００Ｃに着脱自在に配置され、実際のニーズに応じて異なる仕様やスタイルの容器アクセサリーを取り外したり交換したりすることができる。上記透視部は容器アクセサリーに対応しており、容器アクセサリーでの検査に便利であり、また、容器本体は、透視部による対象物の審美性をも発揮することができるので、全体の外観がより汎用性がある。【選択図】図１
0003219510.tif 000002
【実用新案登録請求の範囲】
【請求項１】
一種の可動式収納容器であって、容器本体と容器アクセサリーを含み、
前記容器本体は少なくとも１つの透視部を有し、
前記容器アクセサリーは、前記容器本体の一方の収容空間に着脱自在に配置され、前記透視部は前記容器アクセサリーに対応することを特徴とする、可動式収納容器。
【請求項２】
前記容器アクセサリーは少なくとも１つの傾斜配置部を有することを特徴とする、請求項１に記載の可動式収納容器。
【請求項３】
前記容器アクセサリーは１つのプレート本体を含み、前記プレート本体は複数の傾斜配置部を連続的に形成され、前記プレート本体の両端部は全て前記容器本体の１つの側壁に当接することを特徴とする、請求項１に記載の可動式収納容器。
【請求項４】
前記容器アクセサリーは、前記収容空間を複数の仕切り空間で仕切るための少なくとも１つの仕切り部を備え、少なくとも１つの前記仕切り空間が前記透視部に対応していることを特徴とする、請求項１に記載の可動式収納容器。
【請求項５】
前記容器アクセサリーは、複数の仕切り板を備え、前記複数の仕切り板は、前記収容空間に着脱自在に配置され、前記容器本体の内部を複数の仕切り空間によって区画することを特徴とする、請求項１に記載の可動式収納容器。
【請求項６】
前記複数の仕切り板は全て着色され、透明であり、色は互いに異なることを特徴とする、請求項５に記載の可動式収納容器。
【請求項７】
前記容器本体は、側壁と支持部とを備え、前記側壁は前記収容空間を囲み、前記支持部は前記側壁に接続され、前記仕切り板のうちの１つは、直立部と底板部とを有し、前記底板部は、前記直立部に接続され、他の１つの前記仕切り板はそのうちの１つの前記仕切り板と係合し、そのうちの１つ前記仕切り板の前記底板部と他の前記仕切り板とが前記容器本体の前記側壁に当接していることを特徴とする、請求項５に記載の可動式収納容器。
【請求項８】
前記容器アクセサリーは複数の収容フレームを含むことを特徴とする、請求項１に記載の可動式収納容器。
【請求項９】
前記収容フレームは一体成形されていることを特徴とする、請求項８に記載の可動式収納容器。
【請求項１０】
前記容器本体は透明な形状を有し、前記収容フレームは着色された透明な形状を有することを特徴とする、請求項９に記載の可動式収納容器。
【請求項１１】
前記容器本体は開口部を画定する端縁部を含み、前記開口部は前記収容空間と連通し、前記端縁部は飾り色を有することを特徴とする、請求項１に記載の可動式収納容器。
【請求項１２】
前記容器本体は前記端縁部以外の部分が透明であることを特徴とする、請求項１１に記載の可動式収納容器。
【請求項１３】
一種の可動式収納容器アセンブリーであり、複数の可動式収納容器を含み、前記複数の可動式収納容器はそれぞれ、容器本体と少なくとも１つの容器アクセサリーを含み、前記容器本体は、少なくとも１つの透視部を有し、少なくとも１つの容器アクセサリーは、前記容器本体の1つの収容空間に取り外し可能に配置され、前記少なくとも１つの透視部は、前記少なくとも１つの容器アクセサリーに対応していることを特徴とする、可動式収納容器アセンブリー。
【請求項１４】
前記一つの可動式収納容器に属する前記容器アクセサリーは、異なる色の複数の仕切り板を含むことを特徴とする、請求項１３に記載の可動式収納容器アセンブリー。
【請求項１５】
前記複数の仕切り板は全て着色され、透明であることを特徴とする、請求項１４に記載の可動式収納容器アセンブリー。
【請求項１６】
前記複数の容器本体は開口部を画定する端縁部を含み、前記開口部は前記収容空間と連通し、前記端縁部は飾り色を有することを特徴とする、請求項１３に記載の可動式収納容器アセンブリー。
【請求項１７】
前記複数の容器本体は前記端縁部以外の部分が透明であることを特徴とする、請求項１６に記載の可動式収納容器アセンブリー。
【請求項１８】
他の１つの前記可動式収納容器が属する前記容器アクセサリーには、少なくとも１つの傾斜配置部を有することを特徴とする、請求項１４に記載の可動式収納容器アセンブリー。
【請求項１９】
前記可動式収納容器が属する前記容器アクセサリーは、プレート本体をさらに備え、前記プレート本体は、複数の傾斜配置部が連続して形成され、前記プレート本体の両端は、前記容器本体の側壁に当接することを特徴とする、請求項１８に記載の可動式収納容器アセンブリー。
【考案の詳細な説明】
【技術分野】
【０００１】
本考案は収納容器特に一種の可動式収納容器及びそのアセンブリーに関するのである。
【背景技術】
【０００２】
物品の配置を容易にするため、好ましくは収容空間を有効に使用するのに、多くの収納容器の収容空間は、仕切り、異なる形態の放置溝のような収容空間などを用いて設計される。
【０００３】
関連する従来技術、例えば台湾の実用新案公報第Ｍ４８６９８５号の「積み重ねボックス構造」は主としてトップボックス本体と少なくとも1つの規格化された中間ボックス本体を含む。中間ボックスには、スライド可能に変位し、展開されて折り畳まれる可動ボックスが設けられている。この使用は、必要に応じて積み重ねることによって適切な数の層に組み合わせることができ、中間ボックスを同じ方向または異なる方向へ放射状に展開して折り畳むことができる。
【先行技術文献】
【特許文献】
【０００４】
【特許文献１】実用新案公報第Ｍ４８６９８５号明細書
【考案の概要】
【考案が解決しようとする課題】
【０００５】
しかしながら、上記従来の収納ボックスは、その物品が外装ケースによって覆われているため、ユーザが素早く探し出すことが難しく、使い勝手が悪く、外観が単調であり、収納されている物品のデザインの美しさを運用できない。一方、上記従来のものでは、複数の可動ボックスを収納して使用することができるが、各収納ボックスの収納スペースは固定されており、ユーザのニーズに応じて調整することができず、製品の活用性が不十分である。
【課題を解決するための手段】
【０００６】
上記課題を解決するために、本考案者は、収納容器において収納物品を容易に見つけ出し、収納物品の審美的デザインを利用しやすくするために、必要に応じて調整することができ、容器本体と容器アクセサリーとを含む、可動式収納容器を提供する。容器本体は、少なくとも1つの透視部を有し、容器アクセサリーは容器本体の収容空間に着脱自在に配置され、実際のニーズに応じて異なる仕様及び形態の容器アクセサリーを取り外し、又は交換することができる。透視部は容器アクセサリーに対応し、容器アクセサリーにおける物品の検査を容易にし、また容器本体は透視部による物品の審美性を呈することができ、全体的な外観がより融通性がある。
【０００７】
また、容器アクセサリーは、少なくとも1つの傾斜配置部を有する。
【０００８】
また、容器アクセサリーは、プレート本体を含み、プレート本体の複数の傾斜配置部が連続して形成され、プレート本体の両端が容器本体の一側壁に当接する。
【０００９】
また、収納容器は、収容空間を複数の仕切り空間で区画するための少なくとも1つの仕切りを含み、少なくとも1つの仕切り空間が透視部に対応している。
【００１０】
また、容器アクセサリーは、複数の仕切り板を備え、複数の仕切り板は、容器本体の収容空間に着脱自在に配置され、複数の仕切り空間によって容器本体の内部を仕切ることができる。
【００１１】
また、複数の仕切り板は全て有色透明であり、かつ色は異なる。
【００１２】
また、容器本体は、側壁と支持部とを備え、側壁が収容空間を囲み、支持部が側壁に接続されている。一つの仕切り板は、直立部と底板部とを含み、底板部は直立部に連結されている。他の一つの仕切り板は仕切り板のうちの1つに係合され、一方の仕切り板の底板部と他方の仕切り板とが容器本体の側壁に当接している。
【００１３】
また、容器アクセサリーは、複数の収容フレームを含む。
【００１４】
また、収容フレームは一体成形されている。
【００１５】
また、容器本体は透明であり、収容フレームは有色透明である。
【００１６】
また、容器本体は飾り色を有する端縁部を含み、端縁部は収容空間に連通する開口を画定する。
【００１７】
また、容器本体の端縁部以外の部分は透明である。
【００１８】
また、本考案は、可動式収納容器アセンブリーでもあり、複数の可動式収納容器を含む。複数の可動式収納容器は皆、容器本体と、少なくとも1つの容器アクセサリーを含む。容器本体は少なくとも1つの透視部を有し、容器本体の収容空間は着脱可能に少なくとも1つの容器アクセサリーを設置する。少なくとも1つの透視部は少なくとも1つの容器アクセサリーに対応している。
【００１９】
また、可動式収納容器のいずれかに属されている容器アクセサリーは、色が異なる仕切り板を含む。
【００２０】
また、複数の仕切り板は全部有色透明である。
【００２１】
また、複数の容器本体のそれぞれは、飾り色を有する端縁部を含み、端縁部は、収容空間に連通する開口を画定する。
【００２２】
また、複数の容器本体端縁部以外の部分は、皆透明である。
【００２３】
また、他の可動式収納容器に属されている容器アクセサリーには、少なくとも1つの傾斜配置部が設けられている。
【００２４】
また、可動式収納容器に属されている容器アクセサリーは、プレート本体を含み、プレート本体は連続して形成された複数の傾斜配置部を含み、プレート本体の両端部は属されている容器本体の側壁に当接している。
【考案の効果】
【００２５】
上記の技術的特徴によれば、以下の効果を奏することができる。
【００２６】
１．容器本体の透視部は容器アクセサリーに対応しているので、透視部を介して容器アクセサリー上の被検査物を検査することが容易であり、収納物品の発見が容易であり、製品の利便性が向上する。一方、容器本体は、透視部によって収納物品の審美的なデザインを呈することもできるので、全体の外観はより汎用性がある。
【００２７】
２．容器アクセサリーは取り外し可能であり、異なる要求に従って分解することができ、それによって製品使用の活用性を向上させる。
【００２８】
３．容器本体の全体は、内部物品をより完全に表示するために透明であってもよい。
【００２９】
４．容器アクセサリーは、物品を展示するのに適した傾斜配置部を提供することができる。
【００３０】
５．容器アクセサリーの傾斜配置部分は、単一のプレート本体に形成することができ、プレート本体は、容易に組み立てて位置決めするために容器本体に当接させることができる。
【００３１】
６．容器アクセサリーは、様々な物品の分類および整理を容易にするために、複数の仕切り部、複数の仕切り板または複数の収容フレームを提供することができる。
【００３２】
７．仕切り板は、視線を遮らないように透明に着色することができ、ユーザが仕切り空間内の物体をより容易に見ることができる。有色透明な仕切り板は、透明な容器本体と組み合わされて、独特の光および影の屈折効果をもたらし、製品のデザイン審美性を高める。
【００３３】
８．仕切り板が容器本体の側壁に当接することができるため、組み立てが確実で揺れやすくない。
【００３４】
９．仕切り板は、相互に係合することができ、その結果、組み立てられた構造体はより安定し、より揺れにくい。
【００３５】
１０．仕切り板の色は互いに異なることができ、光と影の屈折効果がより豊富で多様であり、製品のデザイン審美性をさらに高めることができる。
【００３６】
１１．隣接する開口部における容器本体の端縁部は、特殊な視覚効果を生成するために飾り色を有してもよい。さらに、容器本体は、端縁部以外の部分が透明であり、光と影の屈折効果によってより特殊な視覚効果を提供することができる。
【００３７】
１２．複数の可動式収納容器は、活用性を高めるために必要に応じて組み合わせることができる。
【図面の簡単な説明】
【００３８】
【図１】本考案の第1実施形態の斜視図である。
【図２】本考案の第1実施形態に係る可動式収納容器の1つの分解斜視図である。
【図３】本考案の第1実施形態に係る他の可動式収納容器の分解斜視図である。
【図４】本考案の第1実施形態に係る他の可動式収納容器の斜視図である。
【図５】本考案の第1実施形態に係る更に１つの他の可動式収納容器の分解斜視図である。
【図６】本考案の第1実施形態に係る更に１つ他の可動式収納容器の斜視図である。
【図７】本考案の第1実施形態に係る可動式収納容器の断面図である。
【図８】本考案の第２実施形態の分解斜視図である。
【図９】本考案の第２実施形態の斜視図である。
【図１０】本考案の第２実施形態の使用状態の概略図である。
【図１１】本考案の第３実施形態の使用状態の概略図である。
【図１２】本考案の第４実施形態の斜視図である。
【図１３】本考案の第５実施形態の斜視図である。
【考案を実施するための形態】
【００３９】
上記の技術的特徴を組み合わせることにより、本考案の可動式収納容器及びそのアセンブリーの主な機能は、以下の実施形態において明確に提示される。
【００４０】
図1を参照すると、複数の物品（Ａ）（事務用品、美容製品、宝飾品など）を収容するための本考案の可動式収納容器及びその部品の第１実施形態が示されている。可動式収納アセンブリーは、複数の可動式収納容器１０Ａ、１０Ｂ、１０Ｃを含み、これら複数の可動式収納容器１０Ａ、１０Ｂ、１０Ｃは、モジュール式の視覚体験を提供するために互いに当接して幾何学的物体のような特定の物体を形成してもよい。本実施形態では、そのうち、１つの可動式収納容器１０Ａが長方形である。他の２つの可動式収納容器１０Ｂ、１０Ｃの当接後の長さは、一方の可動式収納容器１０Ａの長さと同じ長さを有しているので、組み合わせ後、長方形のモジュール式の視覚体験を呈することができる。
【００４１】
複数の可動式収納容器１０Ａ、１０Ｂ、１０Ｃは、それぞれ１つの容器本体１Ａ、１Ｂ、１Ｃと、少なくとも1つの容器アクセサリー２Ａ，２Ａ´、２Ｂ、２Ｃとを含む。容器本体１Ａ、１Ｂ、１Ｃは、少なくとも1つの透視部を有し、容器本体１Ａ、１Ｂ、１Ｃの収容空間内１００Ａ、１００Ｂ、１００Ｃには、少なくとも1つの容器アクセサリー２Ａ、２Ａ´、２Ｂ、２Ｃを取り外し可能に配置され、少なくとも1つの透視部は、少なくとも1つの容器アクセサリー２Ａ，２Ａ´、２Ｂ、２Ｃに対応する。具体的には、容器本体１Ａ、１Ｂ、１Ｃは、側壁１１Ａ、１１Ｂ、１１Ｃと支持部１２Ａ、１２Ｂ、１２Ｃとを含み、支持部１２Ａ、１２Ｂ、１２Ｃは側壁１１Ａ、１１Ｂ、１１Ｃに接続され、側壁１１Ａ、１１Ｂ、１１Ｃと支持部１２Ａ、１２Ｂ、１２Ｃとの間に、収容空間１００Ａ、１００Ｂ、１００Ｃと開口部１４Ａ、１４Ｂ、１４Ｃとを画定するためである。開口部１４Ａ、１４Ｂ、１４Ｃは、収容空間１００Ａ、１００Ｂ、１００Ｃに連通され、また、開口部１４Ａ、１４Ｂ、１４Ｃの外側には端縁部１５Ａ、１５Ｂ、１５Ｃを有する。容器本体１Ａ、１Ｂ、１Ｃの側壁１１Ａ、１１Ｂ、１１Ｃと支持部１２Ａ、１２Ｂ、１２Ｃは透明であるため、透視部が一体的に形成されている。しかしながら、これに限定されるものではない。側壁１１Ａ、１１Ｂ、１１Ｃまたは支持部１２Ａ、１２Ｂ、１２Ｃは透明であってもよいし、または側壁１１Ａ、１１Ｂ、１１Ｃと支持部１２Ａ、１２Ｂ、１２Ｃの一部が透明であってもよい。それを追加して説明するには、透明層は、ミスト、半透明または完全透明の形態であってもよく、また必要に応じて有色透明（例えば、部分的にピンクまたは褐色の形態）または無色透明であってもよい。
【００４２】
本実施形態では、容器アクセサリー２Ａ、２Ａ´、２Ｂ、２Ｃは異なるものであるが、実際には部分的に再利用することができる。上記容器アクセサリー２Ａ、２Ａ´、２Ｂ、２Ｃの具体的な種類について、以下に順次説明する。
【００４３】
図２を参照すると、図１と共に、容器アクセサリー２Ａ、２Ａ´はすべて容器本体１Ａ上に配置され、互いに当接することができる。容器アクセサリー２Ａは、略三角形の窪んだ箱体であり、対向する２つの傾斜配置部２１Ａを有する。上記容器アクセサリー２Ａ、２Ａ´は、複数の傾斜配置部２１Ａ、２１Ａ´を有している。容器アクセサリー２Ａ´は、プレート本体２０Ａ´を含む。プレート本体２０Ａ´には、複数の傾斜配置部２１Ａ´が連続して形成され、プレート本体２０Ａ´の両端は、容器本体１Ａの側壁１１Ａに当接することができる。
【００４４】
図３及び図４を参照すると、容器アクセサリー２Ｂは、収容空間１００Ｂを複数の仕切り空間に仕切るために、少なくとも1つの仕切り部を含む。少なくとも1つの仕切り空間は、透視部に対応している。詳細には、容器アクセサリー２Ｂは、複数の仕切り板２１Ｂ、２２Ｂを備え、複数の仕切り部が一体的に形成されていてもよく、または組み立てることにより、設けられることもできる。仕切り板２１Ｂ、２２Ｂは、同じ色の有色透明であっても異なっている有色透明もよい（例えば、青、白、ピンク、黄色透明、オレンジ色の透明などの各種色）。仕切り板２１Ｂ、２２Ｂを視線を遮らないようにするためであるが、不透明であってもよい。透明な形状を有する上記仕切り板２１Ｂ、２２Ｂは、透明な容器本体１Ｂと組み合わされて独特の光と影の屈折効果を呈し、製品のデザインの審美性を高めることができる。また、上記仕切り板２１Ｂと隣接する他の仕切り板２２Ｂの高さ寸法も異なっていてもよく、高低層の階層感覚を呈することができ、かつ異なるアイテムの高さに対応することができる。仕切り板２２Ｂは、容器本体１Ｂの収容空間１００Ｂに着脱可能に配置されている。一方の仕切り板２１Ｂの長さ寸法は、容器本体１Ｂ  の長さ寸法に対応し、他の２つ仕切り板２２Ｂの長さ寸法は、容器本体１Ｂの幅寸法に対応する。収納空間１００Ｂを複数の仕切り空間で区画し、前記仕切り空間の少なくとも１つは透視部に対応している。ここで、上記仕切り空間のそれぞれは、透視部に対応している。仕切り板２１Ｂ、２２Ｂは、相互に係止するための溝２１１Ｂ、２２１Ｂを有しているので、仕切り板２１Ｂ、２２Ｂの組み立て構造は安定しており、揺れにくい。本実施形態では、開口部１４Ｂが仕切り板２１Ｂ、２２Ｂからはみだしていないので、ユーザが仕切り板２１Ｂ、２２Ｂにけがをすることがなく、製品の安全性を向上させることができる。
【００４５】
また、図５および図６を参照すると、容器アクセサリー２Ｃは複数の仕切り板２１Ｃ、２２Ｃを含み、そのうちの１つの仕切り板２１Ｃは直立部２１１Ｃ及び底板部２１２Ｃを含む。底板部２１２Ｃは直立部２１１Ｃに接続され、他方の仕切り板２２Ｃは平坦である。引き続き図５および図６を参照すると、他方の仕切り板２２Ｃは、例えば突出部２２１０Ｃによって隣接する仕切り板２１Ｃの溝２１１０Ｃと係合している。図６および図７に示すように、仕切り板２１Ｃを他方の仕切り板２２Ｃに係合させた後、仕切り板２１Ｃの底板部２１２Ｃと他方の仕切り板２２Ｃと共に容器本体１Ｃの側壁１１Ｃに当接する。また、直立部２１１Ｃの２側も容器本体１Ｃの側壁１１Ｃに対応して当接することができ、安定して組み立てられ、揺動しにくい仕切板２１Ｃ、２２Ｃとなる。
【００４６】
図８および図９の実施形態を引き続き参照すると、本考案の第２実施形態では、可動式収納容器のアセンブリーの形態は、第１実施形態と実質的に同じであり、複数の可動式収納容器１０Ｄを含む。大部分の可動式収納容器１０Ｄは、容器本体１Ｄおよび複数の容器アクセサリー２Ｄ、２Ｄ´を含む。相違点は、前記可動式収納容器１０Ｄが浅い箱体１００Ｄに並列され、且つ共同的配置されていることである。容器アクセサリー２Ｄ、２Ｄ´は、一体的に形成された複数の収容フレーム２３Ｄ、２３Ｄ´を含むことができる。容器アクセサリー２Ｄの収容フレーム２３Ｄは「品」の文字状に配置され、容器アクセサリー２Ｄ´の収容フレーム２３Ｄ´は収容フレーム２３Ｄよりも小さく、 多列形態を呈する。
収容フレーム２３Ｄが視線を遮らないように、収容フレーム２３Ｄを有色透明にすることができる。また、透明な容器本体１Ｄに有色透明の形状を呈する収容フレーム２３Ｄを組み合わせることにより、独特の光と影の屈折効果を呈し、製品デザインの審美性を高めることができる。図１０を引き続き参照すると、異なるサイズの物品Ａを配置するのに、収容フレーム２３Ｄ、２３Ｄ´の容器アクセサリー２Ｄ、２Ｄ´が特に適している。物品Ａはマニキュアや口紅などであり、容器アクセサリー２Ｄ２Ｄ´なしの容器本体１Ｄは、アイブロウ鉛筆やパフなどを置くために使用することができる。
【００４７】
引き続き、本考案の第３実施形態である図１１を参照すると、第１実施形態との相違点は、可動式収納容器のアセンブリーが可動式収納容器１０Ｂと可動式収納容器１０Ｃとを１つずつを備え、かつ両者は互いに当接しない使用状態であってもよく、使用状況に応じて変化し、衛生用品などの物品Ａを収納して浴室環境で使用することも可能である。あるいは、図１２に示す第４実施形態のように、可動式収納容器のアセンブリーは、１つの可動式収納容器１０Ｂと２つの可動式収納容器１０Ｃとを備える。２つの可動式収納容器１０Ｃは、当接後の寸法が可動式収納容器１０Ｂに対応し、共同でモジュール化の視覚体験を呈することができる。
【００４８】
引き続き、本考案の第５実施形態である図１３を参照する。第1実施形態との主な相違点は、容器本体１Ａ、１Ｂ、１Ｃのそれぞれまたはいずれか1つに端縁部１５Ａ、１５Ｂ、１５Ｃに飾り色１５１Ａ、１５１Ｂ、１５１Ｃを設けることができる点である（透明または不透明に着色することができ、色は例えば、金、銀、銅など様々な色にすることができる。）。また、容器本体１Ａ、１Ｂ、１Ｃの端縁部１５Ａ、１５Ｂ、１５Ｃ以外の部分が透明であるため、コントラストのある特殊な視覚効果が得られる。
【００４９】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００５０】
１Ａ    容器本体
１Ｂ    容器本体
１Ｃ    容器本体
１Ｄ    容器本体
１０Ａ  可動式収納容器
１０Ｂ  可動式収納容器
１０Ｃ  可動式収納容器
１０Ｄ  可動式収納容器
１１Ａ  側壁
１１Ｂ  側壁
１１Ｃ  側壁
１２Ａ  支持部
１２Ｂ  支持部
１２Ｃ  支持部
１４Ａ  開口部
１４Ｂ  開口部
１４Ｃ  開口部
１５Ａ  端縁部
１５Ｂ  端縁部
１５Ｃ  端縁部
２Ａ    容器アクセサリー
２Ａ´  容器アクセサリー
２Ｂ    容器アクセサリー
２Ｂ´  容器アクセサリー
２Ｃ    容器アクセサリー
２Ｃ´  容器アクセサリー
２Ｄ    容器アクセサリー
２Ｄ´  容器アクセサリー
２０Ａ´プレート本体
２１Ａ  傾斜配置部
２１Ａ´傾斜配置部
２１Ｂ  仕切り板
２１Ｃ  仕切り板
２２Ｂ  仕切り板
２２Ｃ  仕切り板
２３Ｄ  収容フレーム
２３Ｄ´収容フレーム
１００Ａ  収容空間
１００Ｂ  収容空間
１００Ｃ  収容空間
１００Ｄ  浅い箱体
１５１Ａ  飾り色
１５１Ｂ  飾り色
１５１Ｃ  飾り色
２１１Ｂ  溝
２１１Ｃ  直立部
２１２Ｃ  底板部
２１１０Ｃ  溝
２２１Ｂ    溝
２２１０Ｃ  突出部
Ａ          物品
【図１】
0003219510.tif 000003
【図２】
0003219510.tif 000004
【図３】
0003219510.tif 000005
【図４】
0003219510.tif 000006
【図５】
0003219510.tif 000007
【図６】
0003219510.tif 000008
【図７】
0003219510.tif 000009
【図８】
0003219510.tif 000010
【図９】
0003219510.tif 000011
【図１０】
0003219510.tif 000012
【図１１】
0003219510.tif 000013
【図１２】
0003219510.tif 000014
【図１３】
0003219510.tif 000015